Podtech/llm-jp-corpus-v4-ja_patent huggingface dataset:
(57)【要約】      （修正有）【課題】任意の商品の容器を全自動ドリップマシーンにセットするだけで意図する商品を識別し自動でドリップさせる識別全自動ドリップマシーンを提供する。【解決手段】容器に意図する商品の識別用デザインを付し、全自動ドリップマシーンがそれをセンサー等で識別し信号をドリップ制御装置に送る。ドリップ制御装置は信号を受け取り、意図する商品をドリップさせる。【選択図】図２
0003203550.tif 000002
【実用新案登録請求の範囲】
【請求項１】
容器のデザインを識別し、意図する商品を特定し自動ドリップマシーンに認知させ意図する商品をドリップする。
【請求項２】
容器に意図する商品のデザインを印刷もしくは貼る。デザインとは文字、数字、色、コード、模様、マーク、サイズ、重量などで、商品を特定できる方法を言う。
【考案の詳細な説明】
【技術分野】
【０００１】
本考案は、全自動ドリップマシーンが容器のデザインを識別し、任意の商品をトリップするものである。
【背景技術】
【０００２】
全自動ドリップマシーンは、意図する商品の種類を選択させ、選択した商品を自動でドリップするものであった。
【０００３】
しかし、任意の商品を選択するという行為に措いて、ボタン等の入力を人の操作を伴い、間違った商品を選ぶ場合が有り、意図した商品と違うものがドリップされたりする。
違った商品がトリップされた場合、交換しなければならず、経費も手間も掛かり不便である。
【０００４】
この改善策として、意図したものを、ドリップする場合、容器に識別デザイン（バーコードなど）を付け、マシーンに識別させ自動でドリップする様にすれば、簡単で間違いのない商品をドリップすることができる。
【０００５】
また、容器を載せるカップなどを使用するときは、カップに識別デザイン（バーコードなど）を付す。
【図面の簡単な説明】
【０００６】
【図１】図１は容器の実施方法を示した説明図で、例として識別模様(バーコード)を付した物である。
【図２】図２は識別自動ドリップマシーンの実施方法を示した説明図で、例としてバーコードリーダを設置した物である。
【図１】
0003203550.tif 000003
【図２】
0003203550.tif 000004
【手続補正書】
【提出日】平成28年2月2日(2016.2.2)
【手続補正１】
【補正対象書類名】実用新案登録請求の範囲
【補正対象項目名】請求項１
【補正方法】変更
【補正の内容】
【請求項１】
ドリップする意図がある商品を特定するための識別デザインが表面に印刷又は貼られたドリップマシーン用の容器。
【手続補正２】
【補正対象書類名】実用新案登録請求の範囲
【補正対象項目名】請求項２
【補正方法】変更
【補正の内容】
【請求項２】
請求項１に記載の容器をセットしたときに前記識別デザインが認知できるセンサーを備え、認知された前記識別デザインに対応した前記意図がある商品を前記容器にドリップする識別全自動ドリップマシーン。
(57)【要約】      （修正有）【課題】弁当や食卓等において、複数の食品が見栄え良く、楽しく配置されるようにする複数食品の配置構造を提供する。【解決手段】複数食品の配置構造であり、それぞれの食品の表面の外周位置に沿って円形のカラーリング模様３が位置するように包み体６がそれぞれ配置され、かつ、それぞれの食品が隣接配置されることを特徴とする。【選択図】図３
0003203558.tif 000002
【実用新案登録請求の範囲】
【請求項１】
複数食品の配置構造であり、それぞれの食品の表面の外周位置に沿って円形のカラーリング模様が配置され、かつ、それぞれの食品が隣接配置されることを特徴とする複数食品の配置構造。
【考案の詳細な説明】
【技術分野】
【０００１】  この考案は、弁当や食卓等における複数食品の配置構造に関する。
【背景技術】
【０００２】  弁当や食卓においては、複数の食品が見栄え良く楽しく配置されることで食欲が増進され、また、楽しく食事が行われる。とくに、幼児や子供において食品が楽しく見えることが重要となる。
【考案の概要】
【考案が解決しようとする課題】
【０００３】  この考案は、弁当や食卓等において複数の食品が見栄え良く楽しく配置されるように行うものである。
【課題を解決するための手段】
【０００４】  この考案は、複数食品の配置構造であり、それぞれの食品の表面の外周位置に沿って円形のカラーリング模様が配置され、かつ、それぞれの食品が隣接配置されることを特徴とする複数食品の配置構造を提供する。【０００５】  上記構成の複数食品の配置構造によれば、隣接する食品それぞれの表面の外周位置沿うカラーリング模様が組み合わされることで、全体として楽しいデザイン模様が得られ、とくに、「青」「黄」「黒」「緑」「赤」のカラーリング模様の組み合わせによって五輪マークに似た楽しいデザイン模様が形成される。【０００６】  この構成の複数食品の配置構造は、複数の包装紙や複数の食品カップを組み合わせ使用しすることで、さらに、複数食品の設置具等において実現され、弁当箱内や食卓上や飲食店のカウンター上等において用いられる。【０００７】
【考案の効果】
【０００８】  この考案によれば、複数の食品が見栄え良く、楽しく配置できるようになり、これにより、食欲が増進され、また、楽しく食事が行われるようになる。とくに、弁当等で幼児や子供において楽しく使用される。
【図面の簡単な説明】
【０００９】
【図１】  この考案の複数食品の配置構造において使用される食品収納具セットの実施形態の平面図
【図２】  この考案の複数食品の配置構造において使用される食品収納具セットの使用説明図
【図３】  この考案の複数食品の配置構造の実施形態の斜視図
【図４】  この考案の複数食品の配置構造において使用される食品収納具セットに付随使用される成形器の斜視図
【図５】  この考案の複数食品の配置構造において使用される食品収納具セットの他の実施形態の斜視図
【図６】  この考案の複数食品の配置構造において使用される食品収納具セットのさらに他の実施形態の斜視図
【考案を実施するための最良の形態】
【００１０】  図１はこの考案の第１の実施形態を示し、５枚のシート１よりなる１セットの食品収納具セット１０を示す。シート１のそれぞれは直径を約１５ｃｍとする形の透明フィルムよりなり、それらの表面の中央には「青」「黄」「黒」「緑」「赤」のそれぞれ色の異なる直径を約５ｃｍとする円形のカラーリング模様３が印刷により付されている。【００１１】  図２はシート１により円形のおにぎり９をカラーリング模様３に合せて包んだ状態を示し、その包み体６は表面の外周に沿ってカラーリング模様３が位置している。図３は弁当箱１００内に上段左方から「青」「黒」「赤」、下段左方から「黄」「緑」のカラーリング模様３が位置するように包み体６それぞれを配置（複数食品を配置構造）したもので、カラーリング模様３の組み合わせによる五輪マークに似た楽しいデザイン模様が形成される。図４は上記おにぎり９の成形器７を示し、成形器７には５個の円形のおにぎり９の成形凹部８が設けられている。成形凹部８はカラーリング模様３とその直径がほぼ等しくされており、この成形器７を使用することでカラーリング模様３に有った大きさの５個のおにぎりが容易に得られる。複数組の食品収納具セット１０に成形器７を組み合わせたおにぎり用セットとして提供されることで、便利に使用される。【００１２】  図５はこの考案の第２の実施形態を示し、５個のカップ１１よりなる１セットの食品収納具セット２０を示す。カップ１１のそれぞれは紙製で、上部の円形開口１２周囲の円形環状の鍔部１３面上に、「青」「黄」「黒」「緑」「赤」のそれぞれ色の異なるカラーリング模様１４が付されている。カップ１１それぞれにおかずを入れて上段左方から「青」「黒」「赤」、下段左方から「黄」「緑」のカラーリング模様１４が位置するように弁当箱内に配置することで、図３と同様にして、カラーリング模様１４の組み合わせによる五輪マークに似た楽しいデザイン模様が形成される。【００１３】  図６はこの考案の第３の実施形態を示し、設置具２１は紙製で５個の円形の設置穴２３が設けられた平面部２４と、その四方の縁部から下方に折り曲げ状に延び出す脚部２５とから構成されている。設置穴２３それぞれの周縁には上段左方から「青」「黒」「赤」、下段左方から「黄」「緑」の５色の異なる円形のカラーリング模様２７が付されている。この設置具２１が弁当箱内に設けられて使用されることで、カラーリング模様２７の組み合わせによる五輪マークに似た楽しいデザイン模様が形成される。
【符号の説明】
【００１４】１    シート
３    カラーリング模様
９    おにぎり（食品）
【図１】
0003203558.tif 000003
【図２】
0003203558.tif 000004
【図３】
0003203558.tif 000005
【図４】
0003203558.tif 000006
【図５】
0003203558.tif 000007
【図６】
0003203558.tif 000008
(57)【要約】      （修正有）【課題】本考案は、粘着シールに名前等を手書きすることができて、且つ重ね巻きにより長期に亘って保護することのできる粘着シールを提供する。【解決手段】本考案は、粘着シール２に名前等を手書きすることができる有色のシルク印刷面２ａを設け、名前等を手書きしたシルク印刷面２ａに無色透明な他半面２ｂを巻き被覆して保護し、且つ粘着シール２を長手方向に２乃至数枚に分け離し使用の可能なミシン目線を設ける。【選択図】図２
0003203872.tif 000002
【実用新案登録請求の範囲】
【請求項１】
粘着シールに名前等を手書きすることができる有色のシルク印刷面を設け、このシルク印刷面を無色透明の他半面の重ね巻きにより被覆するようにしたことを特徴とする強力耐水性粘着シール。
【請求項２】
粘着シールを長手方向に２乃至数枚に切り分けすることができるミシン目線を設けた請求項１に記載の強力耐水性粘着シール。
【考案の詳細な説明】
【技術分野】
【０００１】
この考案は強力耐水性粘着シール、詳しくは手書きができて、且つ巻き被覆されるようにした強力耐水性粘着シールに関するものある。
【背景技術】
【０００２】
粘着シールとしては実開昭６３−１０９９７８号公報がある。該公報は図形などをスタンプ風にあらかじめ印刷した粘着シールを台紙から剥がし取って文房具，傘の柄などに粘着するということを記載している。
【特許文献１】実開昭６３−１０９９７８号公報
【考案の開示】
【考案が解決しようとする課題】
【０００３】
しかしながら、上記公報の粘着シールは名前，記号，マーク等を手書きして粘着することができず、また短期のうちに汚れたり剥がれ落ちてしまうという課題があった。
【課題を解決するための手段】
【０００４】
本考案は  粘着シールに名前等を手書きすることができる有色のシルク印刷面を設け、この手書きができる有色のシルク印刷面を無色透明な他半面の重ね巻きにより被覆して長期に亘って汚れと剥がれ落ちを防止するようにして上記した課題を解決するようにしたのである。
【考案の効果】
【０００５】
本考案は、粘着シールにシルク印刷面を有せしめたことで名前等を手書きして粘着することができるという効果を生ずる。
【０００６】
手書きした名前等は無色透明な他半面の重ね巻きにより被覆されることで、汚れと剥がれ落ちが長期に亘って防止されるという効果を生ずる。
【０００７】
本考案は１枚の粘着シールを２乃至数枚に切り分けて個別に粘着することができるという効果を生ずる。
【０００８】
本考案の粘着シールは粘着力が強く、また耐水性に優れているという効果を生ずる。
【０００９】
シンク印刷面の有色によって手書きした名前等は無色透明の他半面を通して鮮明に透視されるという効果を生ずる。
【図面の簡単な説明】
【００１０】
【図１】（ａ）は第１実施例の斜視図、（ｂ）は同、名前を手書きして台紙より剥がしつつある状態を示す斜視図
【図２】同、傘の柄に粘着する使用例を示すもので、（ａ）は名前部分を粘着した状態、（ｂ）は透明な他半面にて名前部分を被覆した状態を示す斜視図
【図３】杖の柄に粘着した使用例を示す斜視図
【図４】（ａ）（ｂ）は名前の手書きとシール貼着を組み合わせた例を示す斜視図
【図５】第２実施例で、（ａ）は２分割、（ｂ）は３分割、（ｃ）は４分割、（ｄ）は５分割用のミシン目線を設けた例を示す斜視図、その下段は切り分けた状態を示す斜視図
【符号の説明】
【００１１】
１は台紙
２は粘着シール
２ａはシルク印刷面
２ｂは他半面
２ｃはミシン目線
３は傘
３ａは傘の柄
４は杖
４ａは握り
５は飾りシール
【考案を実施するための最良の形態】
【００１２】
本考案は粘着シールの一側に名前等を手書きすることができる有色のシルク印刷面を設け、このシルク印刷面を無色透明な他半面により巻き被覆するようにして、且つ粘着シールを長手方向に２乃至数枚に切り分けて個別に使用可能にして構成する。
【実施例１】
【００１３】
図１乃至図４は本考案の実施例であって、台紙１上に剥がし取りするように重ね付けした粘着シール２の表面一側に名前，記号，マーク等を手書きすることができる有色のシルク印刷面２ａを設け、このシルク印刷面２ａに続く他半面２ｂを無色透明にしてシルク印刷面２ａを重ね巻きして被覆する。他半面２ｂはシルク印刷面２ａを一重半から二重巻きする程度の長さを有した粘着シール２とする。この粘着シール２は台紙１から剥がし取って図２，図３に示すように傘３の柄３ａ，杖４の握り４ａ、その他運動，音楽，学習，実験等の短パイプ，短棒（図示してない）に粘着するのである。
【００１４】
粘着シール２は台紙１から剥がし取る前にシルク印刷面２ａに名前，記号，マーク，図形など、印となるものを例えば自身にて手書きするのである。シルク印刷面２ａはツルツルの粘着シール２にザラザラ部分を作ってメモ紙のようになり、そこでボールペン，サインペンなどを用いて名前等を手書きするのである。名前を手書きした粘着シール２は図１（ｂ）に示すように台紙１から剥がし取って、図２（ａ）に示すように手書き部分を巻きはじめにして傘３の柄３ａ等に巻き粘着するのである。手書きしたシルク印刷面２ａに図２（ｂ）に示すように続く他半面２ｂが無色透明で手書き部分を一重半から二重巻きすることができる長さを有すことによって、シルク印刷面２ａは粘着シール２に手書きした名前などを他半面２ｂの重ね巻きにより被覆されることで、汚れたり剥がれ落ちないこととなり、しかもシルク印刷面２ａは有色によって手書きされた名前等は無色透明な他半面２ｂを通して鮮やかに透視されることになる。シルク印刷面２には図４に示すように手書きの名前等ともにキャラクター，家紋などを印刷した市販の飾りシール５などを貼付することもできる。
【００１５】
図５は粘着シール２を横長方向に２分割，３分割に切り分けするミシン目線２ｃを設けた例で、さらに４分割，５分割に切り分けするミシン目線２ｃを設けて粘着個所を増やせるようにすることもできる。
【００１６】
なお、本考案の粘着シール２は、粘着剤として、砥石用粘着剤・工業用ステッカーなどに使用されているフェノール樹脂系接着剤を使用することで強力な粘着性を有すこととなり、防水，撥水作用を強化して水分に強い耐水性を有せしめるようにする。フェノール系接着剤は衝撃，曲げに対する耐久性が強く、熱及び荷重の繰り返しに耐えて接着強さの低下が少なく、また水，油，溶剤、薬品などに対しての抵抗性が大きく、耐老化性に優れるものであるため、長年に亘って名前等を印した粘着シール２をきれいな状態で維持することができることとなる。さらにフェノール系接着剤は低粘度での流動性が良好によって均一な粘着皮膜が得られることで加工性にも優れているという利点がある。
【産業上の利用可能性】
【００１７】
本考案は手書きができて透明な他半面により二重等に被覆し、且つ２乃至数枚に切り分けて使用することができることで広く利用されることとなる。
【図１】
0003203872.tif 000003
【図２】
0003203872.tif 000004
【図３】
0003203872.tif 000005
【図４】
0003203872.tif 000006
【図５】
0003203872.tif 000007
(57)【要約】      （修正有）【課題】高齢者の入浴時に於いての身体的負担や要介護者の家族による入浴介護に於ける体力的負担、経済的負担を軽減する事ができる補助床浴槽を提供する。【解決手段】既存の浴槽Ａの上部にはめ込んで使用することができる補助床浴槽１であって、補助床浴槽１の底には排水口２が設けられており、この排水口２には既存の浴槽Ａの排水口Ｂと繋げることが可能な排水用ホースが取り付けられ、更に、補助床浴槽１本体に補助床浴槽足４が設けられている。このようにすることで補助床浴槽１と浴槽Ａ一体化が可能となる。補助床浴槽１単体でも同様の使用ができ、高齢者や要介護者を介護する家族の体力的負担、経済的負担を軽減する事ができる。【選択図】図１
0003203812.tif 000002
【実用新案登録請求の範囲】
【請求項１】
既存している浴槽の上部に取り付け使用する高齢者用の補助床浴槽である。また要介護者には体を洗う補助用の床にもなる、さらに補助床浴槽の底には排水口を設けてあり既存の浴槽排水口に排水用のホースで繋げてあるため補助床浴槽内の汚れたお湯を既存の浴槽を汚すこと無く排水ホースで排水できる機能が備わっている、また補助床浴槽足があるので単体でも使用する事ができる万能な入浴補助用具である。取り付ける事により浴槽本体の底全体を底上げする事ができ、体の状態に合ったものを選ぶことで深さの調整が出来るため、高齢者や介護者の負担を軽減することができる。補助床浴槽には安全対策用のズレ防止が補助床浴槽と一体となって浴槽の緑部に沿う形状になっており、体を洗ってから浴槽に移動することなく、安全に補助床浴槽内で体を洗う事や入浴が容易にできる補助床浴槽。
【考案の詳細な説明】
【技術分野】
【０００１】本考案は、既存の浴槽に補助床浴槽を取り付ける事で高齢者や介護をされている人の負担を軽減させることが出来る補助床浴槽の構造と形態に関するものである。
【背景技術】
【０００２】健常者にとっては何気ない事であっても高齢者や要介護者にとって入浴は危険が多い高齢者は湯船に入る際、浴槽が深く滑る危険がある。また介護する人は要介護者の体を洗ってから湯船に入れるため、床から浴槽に入れる動作や浴槽内から床に出す動作は体の負担が大きい問題がある。介護用浴槽自体はあるが一般家庭で取り付ける場合は費用も掛かり場所も狭い、浴室自体が狭い、高齢者用の浴槽自体は無い、福祉を利用しても費用は掛かる等、様々な事が問題となっている。
【先行技術文献】
【特許文献】
【考案の開示】
【考案が解決しようとする課題】
【０００３】  高齢者がいる世帯や高齢者の一人住まいが増えていく現在、入浴時に於いての身体的負担や要介護者の家族による入浴介護に於ける体力的負担、経済的負担を軽減しようとするものである。
【課題を解決するための手段】
【０００４】  本考案は、既存の浴槽本体上部に底の浅い浴槽を設けることで浴槽の底上げを可能にすることができ、安全性を高められる。さらに底の浅い浴槽に排水口を設け、既存の浴槽の排水口に排水ホースで繋ぐことで床と浴槽の一体化を可能にした、従来のように床から浴槽に移動することがなく、高齢者や介護を行う人の負担を軽減出来る。安全であり持ち運びや用途も幅広く、しかも簡単に取り外しができる補助床浴槽を提供するものである。
【考案の効果】
【０００５】本考案は以上説明したようになっており記載される効果を奏する。
【図面の簡単な説明】
【０００６】
【図１】補助床浴槽の実施例を示す図である。
【図２】既存の浴槽に補助床浴槽を取り付けた断面図であり、補助床浴槽の排水口と既存の浴槽本体の排水口をつなぐ実施例を示す図である。
【考案を実施するための形態】
【０００７】本考案は既存の浴槽本体内側のサイズに合わせた底の浅い浴槽を既存の浴槽上部に、はめ込み使用する形態をしており、補助床浴槽内で体を洗うことが出来るように補助床浴槽底部に排水口を設け、既存の浴槽本体の排水口へ排水用のホースをつなげる事で床同様の使用を可能にし、既存の浴槽本体を汚す事無く、排水できる構造になっている、また補助床浴槽には足もある為、浴室の床に直接置いても同様の使用ができる。
【実施例】
【０００８】実施例について図面を参照し説明すると図１の１が補助床浴槽本体であり、２の排水口、既存の本体浴槽からの取り外し取手３、補助床浴槽足４がある、この補助床浴槽をＡの既存の浴槽緑部にはめ込む。図２は既存の浴槽本体に補助床浴槽を取り付けた断面図であり図１の２の排水口から図２のＢ本体浴槽排水口に排水ホースを繋げることで床と浴槽の一体化が可能となる。
【符号の説明】
【０００９】１  補助床浴槽
２  補助床浴槽の排水口
３  取り外し取手
４  補助床浴槽足
Ａ  既存の浴槽
Ｂ  既存の浴槽排水口
Ｃ  排水ホース
【図１】
0003203812.tif 000003
【図２】
0003203812.tif 000004
【手続補正書】
【提出日】平成27年11月12日(2015.11.12)
【手続補正１】
【補正対象書類名】実用新案登録請求の範囲
【補正対象項目名】全文
【補正方法】変更
【補正の内容】
【実用新案登録請求の範囲】
【請求項１】
各家庭で使用している既存の浴槽上部に本考案の排水用ホースが備わっている底の浅い補助浴槽を取り付け、排水用ホースを既存の浴槽の排水口に繋げる事で浴槽を汚すことなく補助浴槽内で体を洗った後の汚れた湯を排水、さらに新しい湯を入れる事で入浴もできる構造になっており床と浴槽の一体化が可能となる、補助浴槽足が設けてあるため簡易浴槽として使用する事もできる万能な補助浴槽。
以上の構成からなることを特徴とする補助床浴槽。
【手続補正書】
【提出日】平成28年2月1日(2016.2.1)
【手続補正１】
【補正対象書類名】実用新案登録請求の範囲
【補正対象項目名】全文
【補正方法】変更
【補正の内容】
【実用新案登録請求の範囲】
【請求項１】
既存の浴槽上部にはめ込んで使用することができる補助床浴槽であって、補助床浴槽の底には排水口が設けられており、この排水口には既存の浴槽の排水口と繋げることが可能な排水用ホースが取り付けられ、更に、補助床浴槽本体に補助床浴槽足が設けられていることを特徴とする補助床浴槽。
以上の構成からなることを特徴とする補助床浴槽。
(57)【要約】      （修正有）【課題】促成栽培に必要な保温用トンネルの設置及び管理において、資材費が低コストで設置作業が容易、且つ管理として行う換気作業を容易に行える促成栽培用保温シートを提供する。【解決手段】ポリエチレン保温シートの下に梱包用緩衝材を凸面を保温シート側にして追加することで、保温シートと緩衝材の間に空気の層を確保して保温性を向上し、この組み合わせ一層構造を用いた小さなトンネルのみで、従来少なくとも大小二つのトンネルを重ねる必要があったものを簡便化、低コスト化した。【選択図】図２
0003203817.tif 000002
【実用新案登録請求の範囲】
【請求項１】
促成栽培用保温シートとしてポリエチレン梱包緩衝材と農業用ポリエチレンシート（以下農ポリと称す）の２層を組み合わせて重ねる構造とし、且つ、緩衝材の凸面を農ポリ側に用いることを特徴とする。
保温シートとしては、農ポリと梱包緩衝材の２つの組み合わせ或いはこれらが一体となった構造のものを請求範囲とする。
【考案の詳細な説明】
【考案が解決しようとする課題】
【０００１】効果的な促成栽培を行うためには、作物を覆って小さいポリエチレントンネル設置し、さらにそれを覆って大きなポリエチレントンネル設置した少なくとも二層構造とする必要があったため、大きさの異なる支持棒を複数用意しそれぞれにシート掛けを行っていた。この場合資材費が高価となること、設置作業に手間が必要なこと及び時々必要な換気作業時、内側と外側のトンネルを開閉する必要があった。
【課題を解決するための手段】
【０００２】保温用シートとして、梱包緩衝材シートの凸面側に直接農ポリ保温シートを重ね二重構造とした保温シートにする。
【考案の効果】
【０００３】上記二重構造の保温シートは、空気層が十分確保できるため、従来は大小二つのトンネル構造で保温していたものが、一層で済み、その結果保温シート支持棒は小さいもの一種類で済む。その結果、資材費が低コスト化できるとともに、設置が簡単になる。また、時折必要な換気作業が二重構造単層となったシートの開閉のみで済むこととなり大幅に省力化できた。梱包緩衝シートの保温効果が十分大きく、この二重一層シートで十分な保温効果が得られると同時に十分な光透過率が得られ理想的な促成栽培用保温シートが得られた。
【図面の簡単な説明】
【０００４】
【図１】従来の促成栽培用保温シート設置例
【図２】考案の保温シート（組み合わせ）
【図３】考案の保温シート（一体）
【符号の説明】１．作物    ２．支持棒小    ３．農ポリ小
４．支持棒大    ５．農ポリ大    ６．梱包緩衝材シート
【図１】
0003203817.tif 000003
【図２】
0003203817.tif 000004
【図３】
0003203817.tif 000005
【手続補正書】
【提出日】平成28年1月29日(2016.1.29)
【手続補正１】
【補正対象書類名】実用新案登録請求の範囲
【補正対象項目名】全文
【補正方法】変更
【補正の内容】
【実用新案登録請求の範囲】
【請求項１】
促成栽培用保温シートとしてポリエチレン梱包緩衝材と農業用ポリエチレンシート（以下農ポリと称す）の２層を組み合わせて重ねる構造とし、且つ、緩衝材の凸面を農ポリ側に用いることを特徴とする促成栽培用保温シート。
【請求項２】
上記請求項１に記載する保温シートとして、緩衝材と農ポリが一体となった構造の促成栽培用保温シート。
(57)【要約】      （修正有）【課題】ＩＤによるセキュリティの管理と、リアルタイムでの受取人への通知により、データで送達管理できる電子システム利用の宅配サービスポストを提供する。【解決手段】ポストの素材は金属板（スチール・ステンレス等）とし、ポスト１つあたりの大きさは一般的なコインロッカーの中程度（幅３５０ｍｍ〜４００ｍｍ、奥行５７０ｍｍ〜６００ｍｍ、高さ２８０ｍｍ〜３００ｍｍ）とし、住居者ポストはマンション等の集合住宅のエントランスに一括設置し、ポストの扉部分に液晶画面を組み込み、宅配業者、受取人双方が液晶画面を操作しＩＤ照合によりロックの開錠を可能とし、開錠の際、サーバーを経由して双方にてオンラインによる送達確認を行う。【選択図】図１
0003203815.tif 000002
【実用新案登録請求の範囲】
【請求項１】
ポストの形状及び、ネットワークを用いたシステムの構築。
【考案の詳細な説明】
【技術分野】
【０００１】
オンラインシステムを利用した郵便・宅配専用ボックス。
【背景技術】
【０００２】
従来は、宅配サービスにおいて、マンションなどに配達したときは、相手方が不在のとき、配達証明をポストに投函するか、あるいは、専用のボックスに入れるかのいずれかであった。これに代わる宅配事業者と受取人間の荷物受け取り専用ボックスの考案。
、
【先行技術文献】
【特許文献】
【０００３】
【特許文献１】なし
【非特許文献】
【０００４】
【非特許文献１】なし
【考案の概要】
【考案が解決しようとする課題】
【０００５】
相手方が不在の時は、再配達することになり、手間がかかるうえ、配達の時間帯も真夜中などは行えず、帰宅が遅くなる住民は荷物を受け取ることが困難であった。
そこで、これに代わる新たなシステムを用いた専用ボックスを設置する。
【課題を解決するための手段】
【０００６】
専用の『宅配サービスポスト』をマンションのフロントや、各部屋の玄関先、あるいは持ち家の場合は各家庭の玄関（従来の郵便ポストのような場所）に設置する。
１．各家庭に、専用の宅配ポストを設置。
２．ポストのロック解除のためには、専門のIDカードを読み取り機に照らす（もしくは液晶画面に入力）。
３．読み取りが確認できたら、ポストのロックが解錠する。
４．荷物を投函し、ポストを閉じた際、ロックの解除と、配達終了のメールを相手方に知らせる。
＊なお、ポストの形式は、従来のような郵便ポストのような形式でもよいし、マンションのような住民数が多く個別のポストのスペースが確保できない場合は、立体駐車場のような集合化された大型ポストの形式でもよい。
【考案の効果】
【０００７】
当該ポストを設置することで、配送者は再配達の手間を省くことができ、他方、受け取り主は、受け取りのために在宅する必要がなくなる。
さらに、専用IDを用いたボックスのロック解除を行うため、プライバシーやセキュリティ対策にも配慮可能。
【図面の簡単な説明】
【０００８】
【図１】ボックスの簡略図
【図２】システムの流れ
【考案を実施するための形態】
【０００９】
配送業者と受取人の連絡のためのネットワークサービス、及び専用投函ポストに設置する読み取り機、ポスト解錠のための専用のIDカードもしくは、専用のID番号が必要となる。
【実施例】
【００１０】
ボックスは、各家庭の玄関先や、マンションのフロントエリアに設置する。
IDの読み取りカードは予め宅配業者に登録する必要がある。
また、インターネットショッピングの際、配達方法の欄に、ID番号を入力する項目を設けることで、当該システムを利用がより簡易になる。
他方、セキュリティ対策上、ID番号のみの入力では施錠できず、宅配業者のみが持つ専用カードなども併せて利用することも考えられる。
なお、信書などを投函する箇所と、荷物を投函する箇所を区分けする必要がある。
【産業上の利用可能性】
【００１１】
ロジスティックに従事している物流産業、宅配サービス業者のほか、設置のためのシステム導入のためのネットワークサービス、さらに、マンションの場合は、各マンションの建設、改築の際の新たな設置物として利便性が向上する。
【図１】
0003203815.tif 000003
【図２】
0003203815.tif 000004
【手続補正書】
【提出日】平成27年12月15日(2015.12.15)
【手続補正１】
【補正対象書類名】実用新案登録請求の範囲
【補正対象項目名】全文
【補正方法】変更
【補正の内容】
【実用新案登録請求の範囲】
【請求項１】
物品の形状
素材：金属板（スチール・ステンレス等）。
幅350mm~400mm  奥行570mm~600mm  高さ280mm~300mm程度。
物品構造
構造については、宅配物を入れるため、従来の郵便ポストよりも大きいサイズとする。具体的には、駅などに設置してある一般的な中型コインロッカーと同様の大きさである。但し、特徴的なのは、当該ポストの扉の部分に液晶画面を設置し、宅配業者、受取人双方が開錠可能な点である。また、当該ポストは、マンション等の集合住宅を想定したものであるため、各家庭に設置したポストではなく、マンションのエントランスに、住居部屋数に合わせたポスト数を一括に設置する構造とする。
特に特徴的部分
素材は金属板を用い、各ポストには液晶画面にて操作を行い、サーバーを経由して宅配業者、受取人間でのオンラインによる送達確認を可能にさせる。これは宅配業者が開錠したことを記録することで、送達記録を残すと同時に、ポスト所有者のセキュリティを保つためでもある。
【手続補正書】
【提出日】平成28年2月4日(2016.2.4)
【手続補正１】
【補正対象書類名】実用新案登録請求の範囲
【補正対象項目名】全文
【補正方法】変更
【補正の内容】
【実用新案登録請求の範囲】
【請求項１】
考案対象の物品の形状及び構造について、
（１）ポストの素材は金属板（スチール・ステンレス等）とし、
（２）ポスト１つあたりの大きさは一般的なコインロッカーの中程度（幅350mm~400mm  奥行570mm~600mm  高さ280mm~300mm程度）とし、
（３）住居者ポストはマンション等の集合住宅のエントランスに一括設置し、
（４）ポストの扉部分に液晶画面を組み込み、
（５）宅配業者、受取人双方による、上記液晶画面を操作しロックの開錠を可能とし、
（６）開錠の際、サーバーを経由して双方にてオンラインによる送達確認を行う、
以上（１）〜（６）の構成からなる電子システムの利用を特徴とする宅配サービスポスト。
(57)【要約】      （修正有）【課題】下衣を着用し、作業を行う際の、膝部への負担を軽減し又通気性を向上させ、外観に優れ、軽量且つ簡易な構成で作業能率を向上させる下衣を提供する。【解決手段】下衣は膝部４の内部に、平板形状の弾性部材の両端に幅調整部材である切り替え布が接続され、膝に向かう面に伸縮性を有した当て布７が接続された膝部保護パッド６を有し、また膝部保護パッド６自体に微細の通気孔８を設けることにより膝部の通気性を確保した。【選択図】図２
0003203825.tif 000002
【実用新案登録請求の範囲】
【請求項１】
平板形状の弾性部材の両端に幅調整部材である切り替え布が接続され、膝に向かう面に伸縮性を有した当て布が接続された膝部保護パッドを、膝部の内面に接続したことを特徴とする下衣。
【請求項２】
通気孔を有したことを特徴とする請求項１記載の下衣。
【考案の詳細な説明】
【技術分野】
【０００１】本考案は作業服などを着用し作業を行う際に膝部への負担を軽減し、かつ膝部の通気性を確保することができる膝部保護パッドを有する下衣に関する。
【背景技術】
【０００２】従来より着脱可能なタイプの膝部保護パッドを有する作業用下衣が存在する（特許文献１参照）。又、ズボンとは別に紐などで固定するタイプの膝部保護パッド単体のものも存在する。
【先行技術文献】
【特許文献】
【０００３】
【特許文献１】特開２００５−６８５６２号公報
【考案の概要】
【考案が解決しようとする課題】
【０００４】本考案は膝をついて作業する際の膝部への負担軽減のため、及び下衣の膝内部の蒸れを防止するための通気性を持った膝部保護パッドと一体型の下衣を提供することを目的とする。【０００５】従来から着脱可能な膝部保護パッドを有する下衣が存在するが、この場合着脱が簡易迅速に行えず、膝部への違和感を生じ、又作業中に膝部保護パッドのズレが生じ、更には膝部保護パッド自体を紛失する可能性があるという欠点を有する。【０００６】又従来の膝部保護パッドを備えた下衣、及び膝部保護パッド単体のものに挙げられる問題点として、着用者の身体からの発熱により、下衣及び膝部保護パッド内部に蒸れが発生するという点がある。
【課題を解決するための手段】
【０００７】本考案は上述せる課題に鑑みてなされたもので、膝部保護パッドを膝部の内面に縫着し一体化していることから、着脱作業を省き、作業中にズレが生じる可能性、膝部保護パッド自体を紛失する可能性を排したものであるという点を特徴とする。【０００８】又、本考案の請求項１に記載の下衣は膝部の内面にウレタンなどの合成樹脂による平板形状の弾性部材である膝部保護パッドを有し、且つ請求項２に記載の下衣は通気性を確保するため膝部保護パッド自体に微細の通気孔が施されていることを特徴とする。
【考案の効果】
【０００９】本考案の下衣は膝部保護パッドを膝部の内面に縫着し一体化していることから、着脱作業を省き、作業中にズレが生じる可能性、膝部保護パッド自体を紛失する可能性を排している。
また幅調整部材である切り替え布を用い膝部保護パッドの幅を最適なものにし、又膝部保護パッドの膝に向かう面には伸縮性のある当て布を使用することにより下衣の意匠性を損なうことなく又作業の妨げになることなく、作業中の膝部４への負担軽減を可能とした。且つ膝部保護パッド自体に微細の通気孔が施されていることで、通気性を確保することが可能となる。
【図面の簡単な説明】
【００１０】
【図１】本考案の下衣の全体図である。
【図２】本考案の下衣の膝部の部分拡大図及び内部構造を示した図である。
【図３】本考案の下衣の図１のＡ−Ａ断面図である。
【考案を実施するための形態】
【００１１】以下図面に基づいて本考案に係わる下衣について詳細に説明する。
図１は本考案の下衣の全体図である。図２は膝部の部分拡大図であり、一点鎖線の円で囲まれた箇所は内部構造を示したものである。図３はさらに図１のＡ−Ａ断面図である。
【００１２】従来の膝部保護パッドを有する下衣においては膝部にポケットを設けるなどし、膝部保護パッドを着脱可能なものとしているが、本考案では図１に示すとおり膝部４の内面に膝部保護パッド６を縫着し一体化することにより、膝部保護パッド６の着脱作業を省き、また作業中にズレが生じる可能性、膝部保護パッド６自体を紛失する可能性を排した。
【００１３】また図２の膝部の部分拡大図に示すように、内部の膝部保護パッド６に微細の通気孔８を設けることにより、作業中の下衣内の蒸れを軽減し且つ効率的に外気を取り入れることを可能とした。
【００１４】また図３のＡ−Ａ断面図に示すように、膝部保護パッド６の幅を個々の膝の形状に対応させるため、幅調整部材である切り替え布９を用い膝部保護パッド６の幅を最適なものにし、又膝部保護パッド６の膝に向かう面には伸縮性のある当て布７を使用することにより下衣の意匠性を損なうことなく又作業の妨げになることなく、作業中の膝部４への負担軽減を可能とした。
【符号の説明】
【００１５】１  ベルトループ
２  サイドポケット
３  カーゴポケット
４  膝部
５  脚部表身頃
６  膝部保護パッド
７  当て布
８  通気孔
９  切り替え布
１０  表地
【図１】
0003203825.tif 000003
【図２】
0003203825.tif 000004
【図３】
0003203825.tif 000005
(57)【要約】【課題】外部への露出を避け且つ衣服の意匠性を損なうことなく、従来以上に効率的な通気性能を有する衣服を提供すること。【解決手段】本考案に係わる衣服では、腰部ヨーク２または膝裏部１５の後身頃１１に開放部１４を設け、又それぞれ裏側に通気メッシュ３、１２を配する。腰部８の後身頃６または膝裏部１５の別の後身頃１３を腰部ヨーク２または膝裏部１５の後身頃１１の裏側になるように通気メッシュ３、１２に縫着したことにより意匠性を損なうことなく通気性能を確保した。【選択図】図１
0003203826.tif 000002
【実用新案登録請求の範囲】
【請求項１】
腰部ヨークまたは膝裏部の後身頃に開放部を有し、腰部ヨークまたは膝裏部の後身頃の裏側に開放部を覆うメッシュ素材生地を縫着し、腰部の後身頃または膝裏部の別の後身頃を腰部ヨークまたは膝裏部の後身頃の裏側になるようにメッシュ素材生地に縫着したことを特徴とするズボン。
【考案の詳細な説明】
【技術分野】
【０００１】本考案は作業服などを着用し作業を行う際に，腰部分及び膝裏部分のメッシュ生地からの通気により特に夏季において快適に作業を行うことができる衣料に関する。
【背景技術】
【０００２】従来より衣服を構成する生地の一部にメッシュ素材を用いることにより、着用者の体温がもたらす熱気を外部に放出し、又外気を衣服内に取り入れる機能を備えた衣服が存在する（特許文献１参照）。
【先行技術文献】
【特許文献】
【０００３】
【特許文献１】実用新案登録第３０５７１４１号公報
【考案の概要】
【考案が解決しようとする課題】
【０００４】本考案では、衣服の生地の一部にメッシュ素材を使用することにより通気性を確保する部分及びその構造を詳細に検討し、より効果的な通気性能を有する衣服を提供することを目的とする。
【課題を解決するための手段】
【０００５】本考案は上述せる課題に鑑みてなされたもので、本考案では極力外部への露出がない部位、及び作業を行う際の妨げとならない部位にメッシュ素材を用い、衣服の意匠性を損なうことなくより効率的な通気性を確保した。【０００６】本考案では作業ズボンを対象とし、腰部ヨークまたは膝裏部の後身頃の裏側にメッシュを縫着した。
これにより腰部及び膝裏部に設けた開放部から内部の熱気を放出し、又効率的に外気を取り入れることが可能となった。
【考案の効果】
【０００７】前記のように、作業ズボンの腰部ヨークまたは膝裏部の後身頃の裏側にメッシュを縫着したことにより、衣服の意匠性を損なうことなく、かつ腰部及び膝裏部に設けた開放部から内部の熱気を放出し、効率的な外気の取り入れ及び通気性を確保することが可能となった。
【図面の簡単な説明】
【０００８】
【図１】本考案のズボンの全体図である。
【図２】本考案のズボンの腰部の部分拡大図及びその縫着構造を示した図である。
【図３】本考案のズボンの膝裏部の部分拡大図及びその縫着構造を示した図である。
【考案を実施するための形態】
【０００９】以下、図面に基づいて本考案に係わる通気機能を備えた衣服について詳細に説明する。
図１は本考案のズボンの全体図である。図２のうち（ａ）は図１におけるズボンの腰部８の部分拡大図、（ｂ）はその縫着構造を示したものである。図３のうち（ａ）は図１におけるズボンの膝裏部１５の部分拡大図、（ｂ）はその縫着構造を示したものである。
【００１０】従来の作業ズボンにおいては腰部８は腰部ヨーク２と後身頃６が完全に縫着されてしまうが、本考案では図２に示すとおり腰部ヨーク２と後身頃６を完全に縫着することなく、カンドメ５を用いることにより腰部ヨーク２に開放部７を設け、又この開放部７を覆うように腰部ヨーク２の裏側に通気メッシュ３を配する。
そして後身頃６を腰部ヨーク２の裏側になるように通気メッシュ３に縫着することにより、通常衣服内に滞留する熱気を放出するとともに外気を取り入れることを可能としたものである。
【００１１】また図３で示す膝裏部１５についても上記腰部８同様、膝裏部１５の後身頃１１の一部に開放部１４を設け、膝裏部１５の後身頃１１の裏側に開放部１４を覆うように通気メッシュ１２を配する。
そして別の後身頃１３を後身頃１１の裏側になるように通気メッシュ１２に縫着することで通気性能の確保を可能にし、且つ開放部１４を膝裏部１５に配することによって、着用時に作業の妨げとならないよう、又衣服の意匠性を損なわないよう慮られたものである。
【符号の説明】
【００１２】１  ベルトループ
２  腰部ヨーク
３  通気メッシュ
４  バックポケット
５  カンドメ
６  後身頃
７  開放部
８  腰部
１１  後身頃
１２  通気メッシュ
１３  別の後身頃
１４  開放部
１５  膝裏部
【図１】
0003203826.tif 000003
【図２】
0003203826.tif 000004
【図３】
0003203826.tif 000005
(57)【要約】      （修正有）【課題】ペットの尿液が比較的多く吸収が間に合わない場合に、ペット尿液が尿パッドの表面に沿って拡散することを有効に防止し、更に吸収層の利用率を向上させることができる階段式導流ペット用尿パッドを提供する。【解決手段】階段式導流ペット用尿パッドは、層状構造の尿パッド本体を含み、前記尿パッド本体にはそれぞれ上から下に順順に不織布被覆層１、吸収層２及びＰＥ膜製漏洩防止層３を有し、吸収層２の中心は凹台であり、吸収層２には外縁から凹台方向に向かって順次下に陥没する階段面が設置される。【選択図】図１
0003203857.tif 000002
【実用新案登録請求の範囲】
【請求項１】
層状構造の尿パッド本体を含み、前記尿パッド本体には上から下に順順に不織布被覆層（１）、吸収層（２）及びＰＥ膜製漏洩防止層（３）を有し、前記吸収層（２）の中心が凹台（２２）であり、吸収層（２）には外縁から凹台（２２）方向に向かって順次下に陥没する階段面（２１）が設置されていることを特徴とする階段式導流ペット用尿パッド。
【請求項２】
前記凹台（２２）は方形又は円形であり、前記方形の凹台（２２）は方形の階段面（２１）に対応し、前記円形の凹台（２２）は環形の階段面（２１）に対応することを特徴とする請求項１に記載の階段式導流ペット用尿パッド。
【請求項３】
前記吸収層（２）は、パルプ、ＰＰ繊維及び急速吸収の高吸水性高分子を混合することにより作製されることを特徴とする請求項１に記載の階段式導流ペット用尿パッド。
【請求項４】
前記吸収層（２）の吸水能力が、その中心の凹台（２２）から外へ次第に低下することを特徴とする請求項１に記載の階段式導流ペット用尿パッド。
【請求項５】
前記凹台（２２）に位置する不織布被覆層（１）に複数の吸収孔が均一に備わることを特徴とする請求項１に記載の階段式導流ペット用尿パッド。
【請求項６】
前記不織布被覆層（１）、吸収層（２）と、ＰＥ膜製漏洩防止層（３）の外縁が重畳することを特徴とする請求項１に記載の階段式導流ペット用尿パッド。
【考案の詳細な説明】
【技術分野】
【０００１】
本考案はペット用尿パッドに関し、特に階段式導流ペット用尿パッドに関する。
【背景技術】
【０００２】
現在、人々の生活水準の向上により、猫や犬等のペットが人々の生活に入り始め、且つ地位がますます高くなり、ペットに対する人々の衛生要求もますます高くなる。然し、日常生活で、ペットの排泄物の処理は大変面倒であり、所有者が相当の精力で解決する必要がある。環境を保護し、ペットの飼育場所をより快適にし、ペットの権利保護の要求を満たし、同時にペットを清掃するという煩瑣な労動を減少させるために、ペットの飼養時、ペット用尿パッドを使用している人が相当いる。従来のペット用尿パッドは、不織布表面被覆層を含み、前記不織布表面被覆層の下面に、パルプ、ＰＰ繊維及び高吸水性高分子により混合作製された吸収層が備わり、吸収層の外側面にＰＥ膜底部漏洩防止層が備わる。このようなペット用尿パッドの吸収層はペット用尿パッドの中心位置にあり、一旦ペット尿液が比較的多く吸収が間に合わないと、尿液が尿パッドの表面に拡散し始め、漏れ出る。
【考案の概要】
【考案が解決しようとする課題】
【０００３】
本考案の目的は、前記問題に対して、階段式導流ペット用尿パッドを提供することにある。
【課題を解決するための手段】
【０００４】
本考案の目的は、以下の手段によって実現される。
【０００５】
階段式導流ペット用尿パッドは、層状構造の尿パッド本体を含み、前記尿パッド本体には上から下に向かって順順に不織布被覆層、吸収層及びＰＥ膜製漏洩防止層を有し、前記吸収層の中心が凹台であり、吸収層には外縁から凹台方向に向かって順次下に陥没する階段面が設置されることを特徴とする。
【０００６】
その中でも、前記凹台が方形又は円形であり、前記方形の凹台は方形の階段面に対応し、前記円形の凹台は環形の階段面に対応する。
【０００７】
その中でも、前記吸収層が、パルプ、ＰＰ繊維及び急速吸収の高吸水性高分子を混合することにより作製される。
【０００８】
その中でも、前記吸収層の吸水能力が、その中心の凹台から外へ次第に低下する。
【０００９】
その中でも、前記凹台に位置する不織布被覆層に複数の吸収孔が均一に備わる。
【００１０】
その中でも、前記不織布被覆層、吸収層と、ＰＥ膜製漏洩防止層の外縁が重畳する。
【考案の効果】
【００１１】
本考案の有益な効果は、以下のとおりである。
【００１２】
１）順順に下に陥没する階段面及び中心の凹台とが設置された吸収層により、ペットの尿液が比較的多く吸収が間に合わない場合に、吸収が間に合わないペット尿液を中心の凹台上にロックさせ、ペット尿液が尿パッドの表面に沿って拡散することを有効に防止する。
【００１３】
２）吸収層の吸水能力がその中心の凹台から外へ次第に低下するため、コストを有効に低下させるだけでなく、凹台に位置する高吸水性材料の利用率を向上させることができる。
【図面の簡単な説明】
【００１４】
【図１】本考案の断面構造図である。
【図２】中心が方形の凹台の斜視構造図である。
【図３】中心が円形の凹台の斜視構造図である。
【考案を実施するための形態】
【００１５】
以下、具体的な実施例及び図面により、本考案について詳細に説明する。
【００１６】
図１の示すように、階段式導流ペット用尿パッドは、層状構造の尿パッド本体を含み、前記尿パッド本体には上から下に向かって順順に織布被覆層１、吸収層２及びＰＥ膜製漏洩防止層３を有し、前記吸収層２の中心が凹台２２であり、吸収層２には、外縁から凹台２２の方向に次第に下に陥没する階段面２１が設置される。
【００１７】
図２の示すように、尿パッドの凹台は方形として良く、これに相応して、階段面も方形とする。
【００１８】
図３の示すように、尿パッドの凹台が更に円形として良く、それに相応する階段面は環形とする。
【００１９】
前記不織布被覆層１、吸収層２と、ＰＥ膜製漏洩防止層３の外縁は、重畳する。
【００２０】
前記吸収層２は、パルプ、ＰＰ繊維及び急速吸収の高吸水性高分子を混合することにより作製される。
【００２１】
加工コストを節約するために、前記吸収層２の吸水能力はその中心の凹台２２から外へ次第に低下する。
【００２２】
ペットの尿液をより良く吸収するために、前記凹台２２に位置する不織布被覆層１には、均一に複数の吸収孔が備わる。
【００２３】
使用過程で、次第に下に陥没する階段面２１及び中心の凹台２２は、吸収が間に合わないペット尿液を収集でき、ペット尿液が尿パッドの表面に拡散することを有効に防止でき、漏れ出ることを回避でき、このような構造により、中心の凹台２２に位置する高吸水能力の吸収層の利用率を向上させることができる。
【符号の説明】
【００２４】
１  織布被覆層
２  吸収層
３  ＰＥ膜製漏洩防止層
２１  階段面
２２  凹台
【図１】
0003203857.tif 000003
【図２】
0003203857.tif 000004
【図３】
0003203857.tif 000005